(57)【要約】【課題】ショートサイクル防止のために吹き出し口からの空気の吹き出し方向を調整しても送風機入力の増大を防止することができる冷凍空調装置を得る。また、設置状態に応じて吹き出し口からの空気の吹き出し方向を変更できる冷凍空調装置を得る。【解決手段】空気の吸込み口３と吹き出し口２が形成された本体１と、吸込み口３から空気を吸引し吹き出し口２から空気を排出させるプロペラファン４と、吸込み口３とプロペラファン４との間に配置された熱交換器７とを備えた冷凍空調装置において、プロペラファン４を吹き出し口２に対して所定の角度を持って設ける。【選択図】図３
2008267727.tif 000002
【特許請求の範囲】
【請求項１】
空気の吸込み口と吹出し口が形成された本体と、
前記吸込み口から空気を吸引し前記吹出し口から空気を排出させる送風機と、
前記吸込み口と前記送風機との間に配置された熱交換器と、
を備えた冷凍空調装置において、
前記送風機は前記吹出し口に対して所定の傾斜角度を持って設けられたことを特徴とする冷凍空調装置。
【請求項２】
前記吹出し口に、
前記吹出し口から排出される空気の流れ方向を調整する複数の桟が外枠に備えられたグリルを設けたことを特徴とする請求項１に記載の冷凍空調装置。
【請求項３】
前記本体には、送風機保持部材が設けられ、
該送風機保持部材は、
傾き調整部材と傾き調整部材取付柱とからなり、
該傾き調整部材取付柱は前記本体内に立設され、
前記傾き調整部材取付柱には前記傾き調整部材が設けられ、
前記傾き調整部材は、前記傾き調整部材取付柱と対向する第１の面と、該第１の面と所定の傾斜角度を持った第２の面とを有し、
該第２の面に前記送風機が設けられることを特徴とする請求項１または請求項２に記載の冷凍空調装置。
【請求項４】
前記本体には、
前記吹出し口に対して所定の傾斜角度をもった面を有する送風機保持部材が設けられ、
該所定の傾斜角度をもった面に前記送風機が設けられることを特徴とする請求項１または請求項２に記載の冷凍空調装置。
【請求項５】
空気の吸込み口と吹出し口が形成された本体と、
前記吸込み口から空気を吸引し前記吹出し口から空気を排出させる送風機と、
前記吸込み口と前記送風機との間に配置された熱交換器と、
前記吹出し口に設けられ、前記吹出し口から排出される空気の流れ方向を調整する複数の桟が外枠に備えられたグリルと
を備えた冷凍空調装置において、
前記外枠形状は正ｎ角形（ただしｎは３以上の整数とする）であり、
前記グリルは、
前記桟の長手方向角度を所定の角度（３６０°／ｎ）ごとに変更して前記吹出し口に設けることができることを特徴とする冷凍空調装置。
【請求項６】
空気の吸込み口と吹出し口が形成された本体と、
前記吸込み口から空気を吸引し前記吹出し口から空気を排出させる送風機と、
前記吸込み口と前記送風機との間に配置された熱交換器と、
前記吹出し口に設けられ、前記吹出し口から排出される空気の流れ方向を調整する複数の桟が外枠に備えられたグリルと
を備えた冷凍空調装置において、
前記外枠形状は円形であり、
前記グリルは、
前記桟の長手方向角度を任意の角度に変更して前記吹出し口に設けることができることを特徴とする冷凍空調装置。
【発明の詳細な説明】
【技術分野】
【０００１】
この発明は冷凍空調装置に関し、特に吹き出し方向の調整より生じる送風機入力の増大を抑制する冷凍空調装置に関するものである。
【背景技術】
【０００２】
従来の冷凍空調装置としては、例えば「エアコン室外機１の風吹出口２に、標準グリル３の外側に重ねるようにして取着されるものであり、上向きコの字状の外枠４と、この外枠４内で上下に平行に並ぶよう配設された複数の細長板状の羽根５ａ〜５ｆとを備えている。そして、これら略水平にわたされた各羽根５ａ〜５ｆによって、上記風吹出口２からの温・冷各排気の風向を調整するようになっている。一方、上記各羽根５ａ〜５ｆは、図１に示すように長手方向直交断面が円弧をなすほぼ同一の形状に形成されている。これら各羽根５ａ〜５ｆは，図示の如く上記円弧の内面を斜め上方に向けほぼ同角度で配向されると共に、上側の羽根５ａ〜５ｅが隣接する下側の羽根５ｂ〜５ｆより各々所要室外機側６に近づくようにずらせて配設されている。また、外枠４は最上部の羽根５ａ上方で省略されており、この最上部の羽根５ａの上方は外部空間に開放されている。」（例えば特許文献１参照）というものが提案されている。また、例えば「吹き出しグリル１０に縦桟を主とする領域と、横桟を主とする領域とを設けることにより、吹出口の前方に壁等があっても吹出空気が吹出口や吸込口１１に跳ね返るのを少なくしたことである。図２はその一例を表したもので、縦桟１０ａを主とする領域は吹出口の右上と左下を結ぶ対角線１２の上方に設けられ、横桟１０ｂを主とする領域は吹出口の右上と左下を結ぶ対角線１２の下方に設けられている。」（例えば特許文献２参照）というものが提案されている。
【０００３】
【特許文献１】特開平１１−２０１５４２号公報（段落番号００１０，００１１、図１，３）
【特許文献２】特開平０９−１７０７８６号公報（段落番号０００７、図２）
【発明の開示】
【発明が解決しようとする課題】
【０００４】
従来の空気熱交換器をもった冷凍空調装置は、吹き出し口からの空気の吹き出し方向を水平方向から一定の角度を持った方向に調整することによるショートサイクル防止が提案されている（例えば特許文献１及び特許文献２）。特許文献１及び特許文献２は、いずれもファン下流側にある吹き出し口に設けられたグリルによって空気の吹き出し方向を調整する構造としているため、空気がグリルを通過するときの圧力損失によって送風機入力が増大するという問題点があった。
【０００５】
また、冷凍空調装置を設置する段階では、吹き出し口からの空気の吹き出し方向が変更できないという問題があった。このため、設置環境（例えば冷凍空調装置の周囲にある壁等の障害物の状態や、冷凍空調装置を複数台近接して設置した状態等）によってはショートサイクルが起きる可能性があった。
【０００６】
この発明は上述のような課題を解決するためになされたものであり、第１の目的は、ショートサイクル防止のために吹き出し口からの空気の吹き出し方向を調整しても送風機入力の増大を防止することができる冷凍空調装置を得ることである。また、第２の目的は、設置状態に応じて吹き出し口からの空気の吹き出し方向を変更できる冷凍空調装置を得ることである。
【課題を解決するための手段】
【０００７】
この発明に係る冷凍空調装置は、空気の吸込み口と吹き出し口が形成された本体と、前記吸込み口から空気を吸引し前記吹き出し口から空気を排出させる送風機と、前記吸込み口と前記送風機との間に配置された熱交換器とを備えた冷凍空調装置において、前記送風機は前記吹き出し口に対して所定の角度を持って設けられたものである。
【発明の効果】
【０００８】
この発明に係る冷凍空調装置においては、送風機が吹き出し口に対して所定の角度を持って設けられているので、吹き出し口から所定の角度を持った空気の吹き出し方向としても、送風機入力の増大を防止することができる。
【発明を実施するための最良の形態】
【０００９】
実施の形態１．
図１は、この発明の実施の形態１における冷凍空調装置の斜視図である。また、図２は、本実施形態１における冷凍空調装置の平面断面模式図である。この図１及び図２を用いて、本実施形態１における冷凍空調装置の室外機の構成について説明する。
【００１０】
熱交換ユニット１０の本体１は例えば略直方体の箱型形状をしている。この本体１の１側面１ａには略円形の吹き出し口２が形成されている。この吹き出し口２の熱交換ユニット１０外側には、吹き出しグリル２０が設けられている。この吹き出しグリル２０は、外枠２０ａ、及び外枠２０ａ内に所定の間隔で並設された複数の桟２０ｂで構成されている。また、本体１の３側面１ｂ，１ｃ及び１ｄには吸込み口３が形成されている。
【００１１】
本体１内には吹き出し口２と対向してプロペラファン４が設けられている。このプロペラファン４には、プロペラファン４を駆動するファンモータ５が連結されている。これらプロペラファン４及びファンモータ５が本発明における送風機に相当する。ファンモータ５にはモータ固定板５ａが設けられている。このモータ固定板５ａを介して、プロペラファン４及びファンモータ５は本発明における送風機保持部材に相当するモータサポート３０（図示せず）により所定の位置に保持されている。また、プロペラファン４の外周を取り囲むように、本体１の内側にベルマウス６が設けられている。本体１内には、側面１ｂ〜１ｄと対向して横断面略コの字形状の熱交換器７が設けられている。熱交換器７は例えばフィンチューブ型熱交換器であり、側面１ｂと対向する熱交換器７ｂ、側面１ｃと対向する熱交換器７ｃ、及び側面１ｄと対向する熱交換器７ｄにより横断面略コの字形状に形成している。なお、熱交換器７は熱交換器７ｂ、熱交換器７ｃ、及び熱交換器７ｄを一体として横断面略コの字形状に製作してもよいし、別々の熱交換器７ｂ、熱交換器７ｃ、及び熱交換器７ｄによって横断面略コの字形状に形成してもよい。
【００１２】
本実施形態１における冷凍空調装置は、互いの側面１ｃが対向するように（つまり互いの吹き出し口２及びプロペラファン４が外側に向くように）配設された熱交換ユニット１０が上下方向３段に設けられている。すなわち、本実施形態１における冷凍空調装置は６個の熱交換ユニット１０で構成されている。これら熱交換ユニット１０の集合体の側部には機械室８が設けられている。この機械室８は、例えばパンチングメタルや開口部を有するパネル等により構成されており、内部が通風可能となっている。機械室８には、圧縮機、電子式膨張弁、及び水―冷媒熱交換器等の冷凍サイクルに必要な要素部品（図示せず）や、電子基板や制御基板等（図示せず）が格納されている。電子基板や制御基板等は雨等によって濡れないように、例えばカバー等で周囲を覆ってもよい。
【００１３】
図３（ａ）は、本実施形態１における熱交換ユニット１０の側面断面模式図である。比較として図３（ｂ）に従来の熱交換ユニット１０の側面断面模式図を示す。本実施形態１における熱交換ユニット１０のプロペラファン４は、熱交換器７の空気吸い込み高さ範囲内に設けられている。
また、プロペラファン４の回転軸（つまり空気の吹き出し方向）が水平方向から角度βだけ上方に傾けられて、熱交換ユニット１０内に設けられている。すなわち、プロペラファン４は吹き出し口２に対して角度βだけ上方に傾けられて、熱交換ユニット１０内に設けられている。ベルマウス６はプロペラファン４の同心円上に設けられており、プロペラファン４とベルマウス６との配置関係は従来と同様である。ベルマウス６は、プロペラファン４の外周に円筒状に形成されたリング部６ａ及び吸い込み側に拡開する開口部６ｂとで形成されており、接合部６ｃによって吹き出し口２に接合されている。
【００１４】
吹き出しグリル２０の桟２０ｂは、その長手方向が水平方向となるように、上下方向に所定の間隔で外枠２０ａ内に並設されている。桟２０ｂの長手方向直交断面は略円弧形状となっており、水平方向に対して所定の角度だけ上方に傾けられている。
【００１５】
本実施形態１における冷凍空調装置内の空気流れについて説明する。まず、図２の上側（図１の奥側）に示す熱交換ユニット１０に注目して、冷凍空調装置内の空気流れについて説明する。ファンモータ５が駆動されるとプロペラファン４が回転し、側面１ｂ及び１ｄに形成された吸込み口３から室外空気は熱交換ユニット１０内へ吸い込まれる（図２に矢印で示す、吸い込み気流Ａ１及びＢ１）。空気流れＡ１の一部は吸込み口３から熱交換ユニット１０内へ流入した後、熱交換器７ｂを通過し、その際に熱交換器７ｂと熱交換して、吹き出し口２から吹き出される（図２に矢印で示す、吹き出し気流Ｃ１）。また、空気流れＡ１の他の一部は、側面１ｃと熱交換器７ｃとの間を流れ、熱交換器７ｃを通過し、その際に熱交換器７ｃと熱交換して、吹き出し口２から吹き出される（図２に矢印で示す、吹き出し気流Ｃ１）。空気流れＢ１の一部は機械室８を介して吸込み口３から熱交換ユニット１０内へ流入した後、熱交換器７ｄを通過し、その際に熱交換器７ｄと熱交換して、吹き出し口２から吹き出される（図２に矢印で示す、吹き出し気流Ｃ１）。また、空気流れＢ１の他の一部は、側面１ｃと熱交換器７ｃとの間を流れ、熱交換器７ｃを通過し、その際に熱交換器７ｃと熱交換して、吹き出し口２から吹き出される（図２に矢印で示す、吹き出し気流Ｃ１）。なお、側面１ｃと熱交換器７ｃとの間は、圧力損失が増加することなく空気が流れることができるように所定間隔を設けている。
【００１６】
図２の下側（図１の手前側）に示す熱交換ユニット１０も同様に、ファンモータ５が駆動されるとプロペラファン４が回転し、側面１ｂ及び１ｄに形成された吸込み口３から室外空気は熱交換ユニット１０内へ流入する（図２に矢印で示す、吸い込み気流Ａ２及びＢ２）。空気流れＡ２の一部は吸込み口３から熱交換ユニット１０内へ流入した後、熱交換器７ｄを通過し、その際に熱交換器７ｄと熱交換して、吹き出し口２から吹き出される（図２に矢印で示す、吹き出し気流Ｃ２）。また、空気流れＡ２の他の一部は、側面１ｃと熱交換器７ｃとの間を流れ、熱交換器７ｃを通過し、その際に熱交換器７ｃと熱交換して、吹き出し口２から吹き出される（図２に矢印で示す、吹き出し気流Ｃ２）。空気流れＢ２の一部は機械室８を介して吸込み口３から熱交換ユニット１０内へ流入した後、熱交換器７ｂを通過し、その際に熱交換器７ｂと熱交換して、吹き出し口２から吹き出される（図２に矢印で示す、吹き出し気流Ｃ２）。また、空気流れＢ２の他の一部は、側面１ｃと熱交換器７ｃとの間を流れ、熱交換器７ｃを通過し、その際に熱交換器７ｃと熱交換して、吹き出し口２から吹き出される（図２に矢印で示す、吹き出し気流Ｃ２）。なお、側面１ｃと熱交換器７ｃとの間は、圧力損失が増加することなく空気が流れることができるように所定間隔を設けている。
【００１７】
図３（ａ）及び（ｂ）を用いて吹き出し気流Ｃの詳細について説明する。本実施形態１における熱交換ユニット１０のプロペラファン４は、回転軸（つまり空気の吹き出し方向）が水平方向から角度βだけ上方に傾けられている。このため、プロペラファン４が吹き出した直後の吹き出し気流は水平方向から角度βだけ上方に傾いている（図３（ａ）に矢印で示す、吹き出し気流Ｄ）。吹き出し気流Ｄは、吹き出しグリルを通過する際に桟２０ｂによって気流方向が調整される。その後、水平方向から角度αだけ上方に傾いて、熱交換ユニット１０の外へ吹き出される（図３（ａ）に矢印で示す、吹き出し気流Ｃ）。なお、プロペラファン４の傾き角度βは、プロペラファン４が空気を吸い込む際の圧損において影響のない範囲としている。
【００１８】
従来の熱交換ユニット１０で吹き出し気流Ｃを水平方向から角度αだけ上方に傾ける場合と比較して、本実施形態１における熱交換ユニット１０は、プロペラファン４から吹き出された気流が桟２０ｂによって曲げられる角度はγ（＝α−β）分だけ小さいこととなる。
【００１９】
このように構成された冷凍空調装置は、プロペラファン４の回転軸（つまり空気の吹き出し方向）が水平方向から角度βだけ上方に傾けられているので、必要な吹き出し気流の調整角度が小さいときは吹き出し口２に吹き出しグリル２０を設けなくても吹き出し気流Ｄの方向を調整することができる。したがって、吹き出し気流が桟２０ｂによって曲げられることによる圧力損失がなく、送風機入力の増大を防止することができる。
【００２０】
また、必要な吹き出し気流の調整角度が大きいときは吹き出し口２に吹き出しグリル２０を設けることとなるが、プロペラファン４から吹き出された気流が桟２０ｂによって曲げられる角度がγ（＝α−β）分だけ小さくなるので、この分の圧力損失が少なくなり送風機入力の増大を抑制することができる。
【００２１】
なお、本実施形態１における冷凍空調装置は、互いの側面１ｃが対向するように（つまり互いの吹き出し口２及びプロペラファン４が外側に向くように）配設された熱交換ユニット１０が上下方向３段に設けられているが、上下方向１段でもよい。また、熱交換ユニット１０が１つでも本発明を実施することはできる。さらに、熱交換ユニット１０を互いの側面１ｃが対向するように（つまり互いの吹出し口２及びプロペラファン４が外側に向くように）配設しなくても、１つの本体の中に、本実施形態と同様に吹出し口２、プロペラファン４、及び熱交換器７を設けることによっても本発明を実施することが可能である。
【００２２】
実施の形態２．
本実施形態２では、複数台設置される冷凍空調装置について示す。冷凍空調装置を複数台設置した場合には、ショートサイクル防止を図るために吹き出し角度を水平方向に対して大きく傾けることが有効である。なお、本実施形態２において、特に記述しない項目については実施の形態１と同様とし、同一機能については同一の符号を用いて述べることとする。
【００２３】
図４は、本実施形態２における冷凍空調装置の側面断面模式図である。２つの冷凍空調装置(熱交換ユニット１０）は、吹き出し口２が対向して設置されている。したがって、これら冷凍空調装置は他方の冷凍装置に向かって空気を吹き出すこととなる。各冷凍装置は、ショートサイクル防止のために所定の設置間隔Ｌ１離れて設けられている。各冷凍空調装置のプロペラファン４は、実施の形態１と同様に回転軸（つまり空気の吹き出し方向）が水平方向から角度βだけ上方に傾けられている。このため、プロペラファン４が吹き出した吹き出し気流は水平方向から角度βだけ上方に傾いている。
【００２４】
このように構成された冷凍空調装置においては、吹き出し気流は水平方向から角度βだけ上方に傾いているので、従来の水平方向に空気を吹き出す冷凍空調装置と比較して、各冷凍装置の設置間隔Ｌ１を小さくすることができる。したがって、冷凍空調装置が複数台設置されたときの全体の設置スペースを小さくすることができる。また、吹き出しグリル２０を吹き出し口２に設けることにより吹き出し気流は水平方向からさらに大きく傾くので（角度α）、より各冷凍装置の設置間隔Ｌ１を小さくすることができる。したがって、冷凍空調装置が複数台設置されたときの全体の設置スペースをより小さくすることができる。
【００２５】
実施の形態３．
実施の形態１及び実施の形態２においては、冷凍空調装置のプロペラファン４は、回転軸（つまり空気の吹き出し方向）を水平方向から角度βだけ上方に傾けて設けられていたが、プロペラファン４の回転軸（つまり空気の吹き出し方向）を左右方向に角度βだけ傾けて設けることもできる。なお、本実施形態３において、特に記述しない項目については実施の形態１と同様とし、同一機能については同一の符号を用いて述べることとする。
【００２６】
図５は、本実施形態３における冷凍空調装置の平面断面模式図である。冷凍空調装置(熱交換ユニット１０）は吹き出し口２の近傍に壁４０がある環境に設置されている。冷凍装置は、ショートサイクル防止のために壁４０から所定の設置間隔Ｌ２離れて設けられている。冷凍空調装置のプロペラファン４は、回転軸（つまり空気の吹き出し方向）が左方向に角度βだけ傾けられている。このため、プロペラファン４が吹き出した吹き出し気流は左方向に角度βだけ左方に傾いている。
【００２７】
このように構成された冷凍空調装置においては、吹き出し気流は左方向に角度βだけ左方に傾いているので、従来の冷凍空調装置と比較して、冷凍装置と壁４０との設置間隔Ｌ２を小さくすることができる。また、壁４０が高い場合には、上方に吹き出し気流を傾けるよりも、壁４０のない左方向に吹き出し気流を傾けることにより、小さな設置間隔Ｌ２でショートサイクルを防止できる。また、吹き出しグリル２０を吹き出し口２に設けることにより吹き出し気流は水平方向からさらに大きく傾くので（角度α）、より設置間隔Ｌ２を小さくすることができる。
【００２８】
実施の形態４．
本実施形態４では、プロペラファン４及びファンモータ５の取り付け方法の１例について示す。なお、本実施形態４において、特に記述しない項目については実施の形態１と同様とし、同一機能については同一の符号を用いて述べることとする。
【００２９】
図６は、本実施形態４における冷凍空調装置の構成図であり、（ａ）は正面断面模式図、（ｂ）は側面断面模式図を示す。冷凍空調装置には、本発明における送風機保持部材に相当するモータサポート３０が備えられている。このモータサポート３０は、本発明における傾き調整部材取付柱に相当するファン取付柱３１、及び本発明における傾き調整部材に相当する傾き取付板３２により構成されている。ファン取付柱３１は、上下方向３段に設けられた熱交換ユニット１０の内部を上下方向に貫通して２本備えられている。このファン取付柱３１は、上段に設けられた熱交換ユニット１０の天面及び下段に設けられた熱交換ユニット１０の底面の少なくとも一方に例えばネジ固定されている。なお、１つの熱交換ユニット１０で冷凍空調装置が構成されている場合は、ファン取付柱３１を熱交換ユニット１０の天面及び底面の少なくとも一方に例えばネジ固定することで実施可能である。
【００３０】
ファン取付柱３１には、各熱交換ユニット１０内に傾き取付板３２が設けられている。この傾き取付板３２は例えば略三角柱の形状をしており、三角柱の天面及び底面が上下方向を向くようにファン取付柱３１に設けられている。ファン取付柱３１と傾き取付板３２とは、例えばファン取付柱３１に形成された抜き穴を介して、傾き取付板３２に形成されたネジ穴にネジ固定する。この傾き取付板３２の斜め上方を向いた１側面３２ａに、ファンモータ５に設けられたモータ固定板５ａは例えばネジ固定される。傾き取付板３２のモータ固定板５ａ側設置面とファン取付柱３１側設置面３２ｂとがなす角度がβとなっており、プロペラファン４はその回転軸（つまり空気の吹き出し方向）が水平方向から角度βだけ上方に傾くように取り付けられることとなる。
【００３１】
ネジ穴の個数を４つにした場合、各ネジ穴の中心を結ぶ直線が正方形とすることで、プロペラファン４の傾き方向を上方、左方、下方、又は右方と変更することができる。また、抜き穴を円弧形状とすることにより、プロペラファン４の傾き方向を任意に変更することが可能である。
【００３２】
このように構成された冷凍空調装置は、傾き取付板３２のモータ固定板５ａ側設置面とファン取付柱３１側設置面３２ｂとがなす角度を変更することによって、プロペラファン４の水平方向に対する取り付け角度を任意に変更することができる。また、例えば傾き取付板３２に形成されたネジ穴の個数を４つにした場合、各ネジ穴の中心を結ぶ直線が正方形とすることで、プロペラファン４の傾き方向を上方、左方、下方、又は右方と変更することができる。さらに、ファン取付柱３１抜き穴を円弧形状の抜き溝とすることにより、プロペラファン４の傾き方向を任意に変更することが可能である。
【００３３】
実施の形態５．
本実施形態５では、プロペラファン４及びファンモータ５の取り付け方法の別の１例について示す。なお、本実施形態５において、特に記述しない項目については実施の形態１と同様とし、同一機能については同一の符号を用いて述べることとする。
【００３４】
図７は、本実施形態５における冷凍空調装置の構成図であり、（ａ）は正面断面模式図、（ｂ）は側面断面模式図を示す。冷凍空調装置には、モータサポート３０となるモータ固定板３３が備えられている。このモータ固定板３３は、上下方向３段に設けられた熱交換ユニット１０の内部を上下方向に貫通して備えられている。なお、上段の熱交換ユニット１０と中段の熱交換ユニット１０との間、及び中段の熱交換ユニット１０と下段の熱交換ユニット１０との間はそれぞれ空いており、３段設けられた熱交換ユニット１０内の空間が連通していてもよい。モータ固定板３３は、各熱交換ユニット１０内に位置し側面１ａに対して角度β傾いた面を有する傾き取付板３３ａと、それぞれの傾き取付板３３ａを連接する連接板３３ｂとからなる。つまり、モータ固定板３３は側面断面がのこ刃形状となっている。このモータ固定板３３は、上部に設けられた熱交換ユニット１０の天面と傾き取付板３３ａが上端を例えばネジ固定されている。さらに、下部に設けられた熱交換ユニット１０の底面と傾き取付板３３ａの下端が例えばネジ固定されている。また、どちらか一方のみが例えばネジ固定されていてもよい。なお、１つの熱交換ユニット１０で冷凍空調装置が構成されている場合は、傾き取付板３３ａの上端及び下端を熱交換ユニット１０の天面及び底面にネジ固定することで実施可能である。また、どちらか一方のみが例えばネジ固定されていてもよい。傾き取付板３３ａに連接板３３ｂが連接されている場合には、連接板３３ｂを例えばネジ固定してもよい。
【００３５】
傾き取付板３３ａにファンモータ５が例えばネジ固定されることで、プロペラファン４はその回転軸（つまり空気の吹き出し方向）が水平方向から角度βだけ上方に傾くように取り付けられることとなる。
【００３６】
このように構成された冷凍空調装置は、モータ固定板３３を一体成型することにより、複数のプロペラファン４に傾きをつけるために必要な部品点数が少なくなり、部品コストの低減および組立工数の削減が可能となる。したがって、安価な冷凍空調装置を提供することができる。
【００３７】
実施の形態６．
実施の形態５までは、空気の吹き出し方向を水平方向から傾けることにより、ショートサイクルの防止を図ってきたが、冷凍空調装置の設置環境（例えば冷凍空調装置の周囲にある壁等の障害物の状態や、冷凍空調装置を複数台近接して設置した状態等）によってはショートサイクルが起きる可能性がある。本実施形態６においては、冷凍空調装置の設置状態に応じて吹き出し口からの空気の吹き出し方向を変更できる冷凍空調装置を示す。なお、本実施形態６において、特に記述しない項目については実施の形態１と同様とし、同一機能については同一の符号を用いて述べることとする。
【００３８】
図８は、本実施形態６における冷凍空調装置の斜視図である。吹き出し口２には、外枠２０ａが略正方形の吹き出しグリル２０が設けられている。吹き出しグリル２０は、例えば吹き出しグリル２０の四隅に形成された抜き穴を介して、側面１ａに形成されたネジ穴（吹き出しグリル２０の四隅に形成された抜き穴と整合する位置）にネジ固定されている。
【００３９】
このように構成された冷凍空調装置は、桟２０ｂの長手方向角度を９０°ごとに変更してグリル２０を吹き出し口２に設けることができる。したがって、設置環境によってショートサイクルを防止するために吹き出し口２から吹き出される空気の方向を変更する必要が生じた場合や、人に対して風の吹き付けを防止する必要がある場合に、吹き出し口２から吹き出される空気の方向を上方、左方、下方、又は右方と変更することができる。
【００４０】
なお、実施の形態４に示すプロペラファン４及びファンモータ５の取り付け方法を用いることにより、グリル２０の取り付け方向に対応してプロペラファン４の傾きも変更できるため、プロペラファン４の入力の増大も抑制できる。
【００４１】
実施の形態７．
実施の形態６では、吹き出しグリル２０における外枠２０ａの形状を略正方形としたが、外枠２０ａを他の形状とすることも可能である。なお、本実施形態７において、特に記述しない項目については実施の形態１と同様とし、同一機能については同一の符号を用いて述べることとする。
【００４２】
図９は、本実施形態７における冷凍空調装置の１例を示す斜視図である。吹き出し口２には、外枠２０ａが略正八角形の吹き出しグリル２０が設けられている。吹き出しグリル２０は、例えば吹き出しグリル２０の八隅に形成された抜き穴を介して、側面１ａに形成されたネジ穴（吹き出しグリル２０の八隅に形成された抜き穴と整合する位置）にネジ固定されている。
【００４３】
このように構成された冷凍空調装置は、桟２０ｂの長手方向角度を４５°ごとに変更してグリル２０を吹き出し口２に設けることができる。したがって、設置環境によってショートサイクルを防止するために吹き出し口２から吹き出される空気の方向を変更する必要が生じた場合や、人に対して風の吹き付けを防止する必要がある場合に、吹き出し口２から吹き出される空気の方向を４５°ごとに変更することができる。
【００４４】
なお、実施の形態４に示すプロペラファン４及びファンモータ５の取り付け方法を用いることにより、グリル２０の取り付け方向に対応してプロペラファン４の傾きも変更できるため、プロペラファン４の入力の増大も抑制できる。
【００４５】
図１０は、本実施形態７における冷凍空調装置の別の１例を示す斜視図である。吹き出し口２には、外枠２０ａが略円形の吹き出しグリル２０が設けられている。吹き出しグリル２０は、例えば同一半径となる複数の円弧形状の抜き溝が形成されており、この抜き溝を介して、側面１ａに形成されたネジ穴（円弧形状の抜き溝と整合する位置）にネジ固定されている。
【００４６】
このように構成された冷凍空調装置は、桟２０ｂの長手方向角度を任意に変更してグリル２０を吹き出し口２に設けることができる。したがって、設置環境によってショートサイクルを防止するために吹き出し口２から吹き出される空気の方向を変更する必要が生じた場合や、人に対して風の吹き付けを防止する必要がある場合に、吹き出し口２から吹き出される空気の方向を任意に変更することができる。
【００４７】
なお、実施の形態４に示すプロペラファン４及びファンモータ５の取り付け方法を用いることにより、グリル２０の取り付け方向に対応してプロペラファン４の傾きも変更できるため、プロペラファン４の入力の増大も抑制できる。
【図面の簡単な説明】
【００４８】
【図１】この発明の実施の形態１における冷凍空調装置の斜視図である。
【図２】この発明の実施の形態１における冷凍空調装置の平面断面模式図である。
【図３】この発明の実施の形態１における冷凍空調装置の側面断面模式図である。
【図４】この発明の実施の形態２における冷凍空調装置の側面断面模式図である。
【図５】この発明の実施の形態３における冷凍空調装置の平面断面模式図である。
【図６】この発明の実施の形態４における冷凍空調装置の構成図である。
【図７】この発明の実施の形態５における冷凍空調装置の構成図である。
【図８】この発明の実施の形態６における冷凍空調装置の斜視図である。
【図９】この発明の実施の形態７における冷凍空調装置の１例を示す斜視図である。
【図１０】この発明の実施の形態７における冷凍空調装置の１例を示す斜視図である。
【符号の説明】
【００４９】
１  本体、１ａ〜１ｄ  側面、２  吹き出し口、２ａ，２ｃ  吹き出し口、３  吸込み口、４  プロペラファン、５  ファンモータ、５ａ  モータ固定板、６  ベルマウス、６ａ  リング部、６ｂ  開口部、６ｃ  接合部、７  熱交換器、７ｂ〜７ｄ  熱交換器、８  機械室、１０  熱交換ユニット、２０  吹き出しグリル、２０ａ  外枠、２０ｂ  桟、３０  モータサポート、３１  ファン取付柱、３２  傾き取付板、３３  モータ固定板、３３ａ  傾き取付板、３３ｂ  連接板、４０  壁。
【図１】
2008267727.tif 000003
【図２】
2008267727.tif 000004
【図３】
2008267727.tif 000005
【図４】
2008267727.tif 000006
【図５】
2008267727.tif 000007
【図６】
2008267727.tif 000008
【図７】
2008267727.tif 000009
【図８】
2008267727.tif 000010
【図９】
2008267727.tif 000011
【図１０】
2008267727.tif 000012